(57)【要約】【課題】適切なホログラムを記録することが可能なホログラム記録装置、ホログラム記録装置の記録方法を提供することを目的とする。【解決手段】記録すべきデータに対応する可干渉性のデータビームを出射するデータビーム出射部と、可干渉性の参照ビームを出射する参照ビーム出射部と、を有し、ホログラム媒体に対して、前記データビームと前記参照ビームを入射することにより、前記データをホログラムとして記録するホログラム記録装置であって、前記データビーム出射部と前記参照ビーム出射部のうち少なくとも一方を、間欠的に出射動作するように制御するビーム制御部を備えた、ことを特徴とする。【選択図】図１
2007127697.tif 000002
【特許請求の範囲】
【請求項１】
記録すべきデータに対応する可干渉性のデータビームを出射するデータビーム出射部と、可干渉性の参照ビームを出射する参照ビーム出射部と、を有し、ホログラム媒体に対して、前記データビームと前記参照ビームとを入射することにより、前記データをホログラムとして記録するホログラム記録装置であって、
前記データビーム出射部と前記参照ビーム出射部のうち少なくとも一方を、間欠的に出射動作するように制御するビーム制御部を備えた、
ことを特徴とするホログラム記録装置。
【請求項２】
前記ビーム制御部は、前記データビーム出射部と前記参照ビーム出射部の一方を、間欠的に出射動作するように制御し、
前記データビームと前記参照ビームのうち少なくとも一方が前記ホログラム媒体を通過した後のビームを受光し、当該ビームの受光位置が予め定められた位置であるか否かを判別する受光判別部と、
前記受光位置が前記位置でないと前記受光判別部が判別する期間、前記データビーム出射部と前記参照ビーム出射部の一方からの前記ホログラム媒体に対するビームの入射を遮断する遮断部と、を備えた、
ことを特徴とする請求項１に記載のホログラム記録装置。
【請求項３】
前記ビーム制御部は、前記データビーム出射部と前記参照ビーム出射部の一方を、間欠的に出射動作するように制御し、
前記データビームと前記参照ビームのうち少なくとも一方が前記ホログラム媒体を通過した後のビームを受光し、当該ビームの受光位置が予め定められた位置であるか否かを判別する受光判別部と、
前記受光位置が前記位置でないと前記受光判別部が判別する期間、前記データビーム出射部と前記参照ビーム出射部の一方の出射動作を停止するように制御する停止制御部と、を備えた、
ことを特徴とする請求項１に記載のホログラム記録装置。
【請求項４】
前記ビーム制御部は、交互に繰り返す第１期間と第２期間のうち、
前記第１期間において、前記データビーム出射部と前記参照ビーム出射部がともに出射動作するように制御し、
前記第２期間において、前記データビーム出射部と前記参照ビーム出射部の一方の出射動作を停止するように制御するとともに、前記データビーム出射部と前記参照ビーム出射部の他方が出射するビームを、前記第１期間におけるビームより光強度が小さくなるように制御し、
前記第１期間における前記データビームおよび前記参照ビームが前記ホログラム媒体を通過した後のビームを受光し、また前記第２期間における前記データビーム出射部と前記参照ビーム出射部の他方が出射するビームが前記ホログラム媒体を通過した後のビームを受光し、当該ビームの受光位置が予め定められた位置であるか否かを判別する受光判別部と、
前記受光位置が前記位置でないと前記受光判別部が判別する期間、前記データビーム出射部と前記参照ビーム出射部の一方からの前記ホログラム媒体に対するビームの入射を遮断する遮断部と、を備えた、
ことを特徴とする請求項１に記載のホログラム装置。
【請求項５】
前記ビーム制御部は、交互に繰り返す第１期間と第２期間のうち、
前記第１期間において、前記データビーム出射部と前記参照ビーム出射部がともに出射動作するように制御し、
前記第２期間において、前記データビーム出射部と前記参照ビーム出射部の一方の出射動作を停止するように制御するとともに、前記データビーム出射部と前記参照ビーム出射部の他方が出射するビームを、前記第１期間におけるビームより光強度が小さくなるように制御し、
前記第１期間における前記データビームおよび前記参照ビームが前記ホログラム媒体を通過した後のビームを受光し、また前記第２期間における前記データビーム出射部と前記参照ビーム出射部の他方が出射するビームが前記ホログラム媒体を通過した後のビームを受光し、当該ビームの受光位置が予め定められた位置であるか否かを判別する受光判別部と、
前記受光位置が前記位置でないと前記受光判別部が判別する期間、前記データビーム出射部と前記参照ビーム出射部の一方の出射動作を停止するように制御する停止制御部と、を備えた、
ことを特徴とする請求項１に記載のホログラム記録装置。
【請求項６】
前記データビームは、前記データと前記受光判別部が判別するための判別用データに対応したものであって、
前記受光判別部は、前記データビームが前記ホログラム媒体を通過した後の前記判別用データに対応するビームを受光する、
ことを特徴とする請求項２乃至請求項５の何れかに記載のホログラム記録装置。
【請求項７】
前記受光判別部は、
前記ホログラム媒体に入射した後のビームを受光する複数の４分割センサを有し、
前記複数の４分割センサにおける複数の受光位置がそれぞれ、前記位置であるか否かを判別する、
ことを特徴とする請求項２乃至請求項６の何れかに記載のホログラム記録装置。
【請求項８】
前記ホログラム媒体と前記複数の４分割センサの間に設けられ、
前記ホログラム媒体に入射した後の前記ビームを、前記複数の４分割センサにおけるビームを受光するための領域より小さいビームに集光して当該複数の４分割センサに出射する集光レンズを備えた、
ことを特徴とする請求項７に記載のホログラム記録装置。
【請求項９】
記録すべきデータに対応する可干渉性のデータビームを出射するデータビーム出射部と、可干渉性の参照ビームを出射する参照ビーム出射部と、を有し、ホログラム媒体に対して、前記データビームと前記参照ビームとを入射することにより、前記データをホログラムとして記録するホログラム記録装置の記録方法であって、
前記データビーム出射部と前記参照ビーム出射部のうち少なくとも一方を、間欠的に出射動作するように制御する、
ことを特徴とするホログラム記録装置の記録方法。
【発明の詳細な説明】
【技術分野】
【０００１】
本発明は、ホログラム記録装置、ホログラム記録装置の記録方法に関する。
【背景技術】
【０００２】
デジタルデータがホログラムとして記録されるホログラム媒体としては、例えばガラス基板で光感受性樹脂（例えば、フォトポリマー）を封止して設けられたものがある。
【０００３】
ホログラム媒体にデジタルデータをホログラムとして記録する場合、先ず、レーザー装置からの可干渉性のレーザービームをＰＢＳ（Polarization Beam Splitter・偏向ビームスプリッタ）にて２つのレーザービームに分離する。そして、一方のレーザービーム（以下、参照ビームという）と、デジタルデータが２次元濃淡画像パターンとして形成されたＳＬＭ（Spatial Light Modulator・空間光変調器）等に他方のレーザービームを照射させることで当該２次元濃淡画像パターンの情報が反映されたレーザービーム（以下、データビームという）と、をホログラム媒体に対して所定角度で入射させる。この結果、デジタルデータがホログラム媒体に記録される。
【０００４】
ところで、ホログラム媒体を構成する光感受性樹脂は、有限数のモノマーを有し、参照ビームとデータビームとからなるレーザービーム（以下、レーザービームという）が照射されることによって、当該レーザービームの光強度及び照射時間からなるエネルギーに基づき、内部の分子構造が化学的に変化する。このとき、モノマーは、単純に、化学的に変化するだけではなく、エネルギー密度の低い領域から高い領域への移動が同時に行われることで、干渉縞としてのホログラムが形成される。すなわち、ホログラム媒体に、デジタルデータを示すホログラムが記録されることになる。尚、このエネルギー密度の高い領域は、ポリマーと呼ばれる。また、モノマーの移動量は、エネルギー密度に密接に関係したものとなる。尚、ホログラム媒体中において、レーザービームのエネルギーに応じてモノマーがポリマーへと変化するときの様子を模式化した図を図２に示す。
【０００５】
また、例えばホログラム媒体に記録すべきデータ量が大きい場合、ホログラム媒体に対する参照ビームの入射角度を変化させることによって、多数のホログラムの記録が可能ないわゆる角度多重記録が施される。例えば、ホログラム媒体へ記録された１つのホログラムをページと称し、多数のページからなる多重ホログラムをブックと称する。図３は、角度多重記録におけるブックとページを模式的に示した図である。図３に示すように角度多重記録においては、参照ビームの入射角度を変化させることによって、１つのブックに対して、例えば１０ページのホログラムを記録することが可能となる。この結果、大量のデジタルデータをホログラム媒体に記録することが可能となる。尚、角度多重記録は、データビームのホログラム媒体への入射角度を変化させることでも可能であり、また、データビームおよび参照ビームのホログラム媒体への入射角度を変化させることによっても可能となる。
【０００６】
ホログラム媒体からデジタルデータを再生する場合、再生すべきデジタルデータを示すホログラムに、当該ホログラムが記録されたときの角度と同じ入射角度で参照ビームを入射する。そして、ホログラムにて回折された参照ビーム（以下、再生ビームという）を、イメージセンサ等で受光する。イメージセンサ等で受光した再生ビームは、前述のデジタルデータを示す２次元濃淡画像パターンとなる。そして、２次元濃淡画像パターンからデジタルデータをデコーダ等で復号化することで、デジタルデータが再生される。
【０００７】
また、再生ビームから２次元濃淡画像パターンを再現するためには、当該再生ビームの光強度が、イメージセンサ等において２次元濃淡画像パターンを再現可能なレベルとなる必要がある。そのため、ホログラム媒体に記録されるホログラムは、所定値以上の回折効率を有していなければならない。尚、回折効率とは、参照ビームの光強度と再生ビームの光強度との比を示すものである。
【特許文献１】特開２００３−９９９５２
【発明の開示】
【発明が解決しようとする課題】
【０００８】
このように、ホログラムの記録においては、所定値以上の回折効率を有するホログラムが記録されるまでの期間、データビーム及び参照ビームをホログラム媒体に対し正確に照射し続ける必要がある。しかしながら、外部からの振動や、ホログラムを記録するための装置が駆動する際に発生する振動の影響を受ける可能性があった。この結果、データビームや参照ビームを正確に照射できず、ホログラム媒体に対してホログラムを記録できない可能性があった。或いは、適切なホログラムを記録できない可能性があった。
【０００９】
そこで、振動による影響を軽減する方法として、ホログラムの記録中に発生した振動を検出し、当該振動のレベルに応じた処理を施す方法が用いられている。尚、この方法としては、例えば、特開平１０−１０５０３３に開示されている。しかしながら、この方法においては、振動が発生してから、当該振動を検出し処理を施すための時間を要することとなる。そのため、振動の発生から処理を施すまでの遅延が生じ、振動の影響を受けたホログラムが記録される可能性があった。また、振動の検出にも限界があり、全ての振動を検出することは不可能である。特に、振幅レベルの小さい振動の場合、振動を検出することが困難となる可能性がある。しかしながら、たとえ振幅レベルの小さい振動であっても、ホログラムに対する影響は大きいものとなる可能性があった。
【００１０】
そこで、本発明は、適切なホログラムを記録することが可能なホログラム記録装置、ホログラム記録装置の記録方法を提供することを目的とする。
【課題を解決するための手段】
【００１１】
前記課題を解決するための発明は、記録すべきデータに対応する可干渉性のデータビームを出射するデータビーム出射部と、可干渉性の参照ビームを出射する参照ビーム出射部と、を有し、ホログラム媒体に対して、前記データビームと前記参照ビームとを入射することにより、前記データをホログラムとして記録するホログラム記録装置であって、前記データビーム出射部と前記参照ビーム出射部のうち少なくとも一方を、間欠的に出射動作するように制御するビーム制御部を備えた、ことを特徴とする。
【００１２】
また、記録すべきデータに対応する可干渉性のデータビームを出射するデータビーム出射部と、可干渉性の参照ビームを出射する参照ビーム出射部と、を有し、ホログラム媒体に対して、前記データビームと前記参照ビームとを入射することにより、前記データをホログラムとして記録するホログラム記録装置の記録方法であって、前記データビーム出射部と前記参照ビーム出射部のうち少なくとも一方を、間欠的に出射動作するように制御する、ことを特徴とする。
【発明の効果】
【００１３】
本発明によれば、適切なホログラムを記録することが可能なホログラム記録装置、ホログラム記録装置の記録方法を提供することが可能となる。
【発明を実施するための最良の形態】
【００１４】
本明細書および添付図面の記載により、少なくとも以下の事項が明らかとなる。
【００１５】
＜＜実施形態＞＞
＝＝＝  ホログラム記録装置の全体構成  ＝＝＝
図１、図４乃至図１０を参照しつつ、本発明に係るホログラム記録装置について説明する。図１は、本発明に係るホログラム記録装置の全体構成の一例を示す機能ブロック図である。図４は、ホログラム媒体２２に記録されるホログラムが示す単位ページ配列データ、２次元濃淡画像パターンを示す図である。図５は、図１に示す第１シャッター１４（データビーム出射部）の構成を示す図である。図６は、第１シャッター１４のその他の構成を示す図である。図７は、図１に示すイメージセンサ２７（受光判別部）の正面図である。図８は、イメージセンサ２７の断面図である。図９は、図７に示す４分割センサ４５(Ａ)乃至４５(Ｄ)が有する４つの受光領域Ａ〜Ｄを示す図である。図１０は、４分割センサ４５(Ａ)乃至４５(Ｄ)による受光を模式化した図である。
【００１６】
ホログラム媒体２２は、デジタルデータをホログラムとして記憶可能な光感受性樹脂（例えばフォトポリマー・銀塩乳剤・重クロム酸ゼラチン・フォトレジスト等）をガラス基板で封止して構成されている。ホログラム媒体２２は、デジタルデータがホログラムとして記録される領域（以下、記録領域という）を複数有している。ホログラム媒体２２を構成するガラス基板には、例えばＤＶＤ（Digital Versatile Disk）におけるランドプリピット方式を用いることによって、各記録領域のアドレス情報を示すプリピットが予め配設されている。
【００１７】
ホログラム記録装置は、接続端子４、インタフェース３、バッファ５、ＣＰＵ（Central Processing Unit）１、メモリ２、エンコーダ７、マッピング処理部８、ＳＬＭ９、レーザー装置１０、１／２波長板１２、ＰＢＳ１３、１５、第１シャッター１４、フーリエ変換レンズ２１、２６、第２シャッター１１（参照ビーム出射部、遮断部）、ガルボミラー制御部１７、ガルボミラー１６、ダイクロックミラー１８、スキャナレンズ２０、サーボレーザー装置１９、イメージセンサ２７、イメージセンサ制御部２８、ディテクタ２３、ディスク制御部２４、ディスク駆動部２５、演算部３１（受光判別部）、ＤＳＰ（Digital Signal Processor）２９（受光判別部、ビーム制御部）、カウンタ３３、第１タイマ３６、第２タイマ３７を有する。
【００１８】
サーボレーザー装置１９は、ホログラム媒体２２のプリピットを照射すべく、レーザービーム（以下、サーボレーザービームという）をダイクロックミラー１８に出射する。尚、サーボレーザービームは、ホログラム媒体２２に記録されるホログラムに影響ない所定波長のビームである。そこで本実施形態においては、例えばレーザー装置１０が出射するレーザービームに青色レーザービームを使用し、当該青色レーザービームよりも長い波長である赤色レーザービームをサーボレーザービームとして使用するものとする。サーボレーザー装置１９は、例えば、ホログラム記録装置が起動開始するとともにサーボレーザービームの出射を開始し、ホログラム記録装置が起動している期間、サーボレーザービームを出射し続けるものである。しかしながら、これに限定するものではない。例えば、ホログラムを記録する際、ホログラム媒体２２は停止状態となる。この場合、サーボレーザービームのプリピットへの照射が必ずしも必要とされないため、当該サーボレーザービームの出射を停止するようにしても良い。この結果、サーボレーザービームの出射に係るサーボレーザー装置１９の負荷を減じることが可能となる。
【００１９】
ディテクタ２３は、例えば４分割された光検出器（不図示）から構成され、ホログラム媒体２２のプリピットを照射した後のサーボレーザービームを受光する。ディテクタ２３は、受光したサーボレーザービームに基づいて、アドレス情報を検出してＣＰＵ１に送信する。また、ディテクタ２３は、サーボレーザービームの光強度を示す光強度情報をディスク制御部２４に送信する。尚、図１においてディテクタ２３は、ホログラム媒体２２を透過したサーボレーザービームを受光すべく設けられているが、これに限るものではない。例えば、プリピットを照射した後のサーボレーザービームが、ホログラム媒体２２にて反射される場合、反射されたサーボレーザービームを受光するように設けても良い。
【００２０】
インタフェース３は、接続端子４を介して接続される例えばＰＣ（Personal Computer）等のホスト機器（不図示）とホログラム記録装置とがデジタルデータの送受信を行うために介在する。バッファ５には、ホログラム記録装置において記録処理を実行するため、ホスト機器からの指示信号（以下、記録指示信号という）が記憶される。また、バッファ５には、記録の対象となるデジタルデータが記憶される。エンコーダ７は、バッファ５からのデジタルデータに対して、エンコード処理（例えば誤り訂正符号の付加、変調等）を施してマッピング処理部８に送信する。
【００２１】
マッピング処理部８は、ＳＬＭ９に対し、エンコーダ７からのデジタルデータを２次元のデータ配列に並び替え（以下、マッピング処理という）、図４(a)に示す単位ページ配列データを設定する。尚、マッピング処理部８は、マッピング処理においてＳＬＭ９の各頂点側における例えば９つのピクセル（a1〜a3、b1〜b3、c1〜c3、v1〜v3、w1〜w3、x1〜x3、a22〜a24、b22〜b24、ｃ21〜ｃ24、v22〜v24、w22〜w24、x22〜x24）に対し、例えば一方の論理値‘１’を判別用データとして設定する。この結果、ホログラム媒体２２に記録されるデジタルデータは、前述の９つのピクセル×４を除いたピクセルに順次設定されることとなる。尚、判別用データは、当該判別用データを示すデータビーム（以下、判別用データビームという）から、ＤＳＰ２９が振動の有無を判別するために設けられるものである。
【００２２】
ＳＬＭ９は、例えば２４×２４(a〜x)の数のピクセルを有している。ＳＬＭ９は、単位ページ配列データを構成する一方の論理値‘１’に対して例えば明、他方の論理値‘０’に対して暗とすることによって、２次元濃淡画像パターン（図４(b)）を形成する。ＳＬＭ９は、レーザー装置１０が出射するレーザービームが入射され、当該レーザービームをＰＢＳ１５に反射する。この反射されたレーザービームは、２次元濃淡画像パターンの情報が反映されたレーザービーム（以下、データビームという）となる。尚、図１においては、レーザー装置１０からのレーザービームが、ＰＢＳ１５にて反射して後にＳＬＭ９に入射される構成となっているが、これに限るものではない。例えば、レーザー装置１０からのレーザービームが直接的にＳＬＭ９に入射される構成としても良い。
【００２３】
ＣＰＵ１は、メモリ２に記憶されているプログラムデータに基づいて、ホログラム記録装置を統括制御する。ＣＰＵ１は、所定のタイミングで、バッファ５に記録指示信号が記憶されているか否か判別する。ＣＰＵ１は、バッファ５に記録指示信号が記憶されていると判別すると、前回のホログラムの記録において、最後にホログラムが記録された記録領域のアドレス情報をメモリ２から読み出す。そして、ＣＰＵ１は、デジタルデータを記録する記録領域（以下、記録対象領域という）を算出する。ＣＰＵ１は、記録対象領域のアドレス情報を示すプリピットにサーボレーザービームを照射させるべく、ディスク制御部２４に指示信号を送信する。また、ＣＰＵ１は、バッファ５に記憶されているデジタルデータをエンコーダ７に送信させる。
【００２４】
また、ＣＰＵ１は、デジタルデータのデータ量に基づいて、ホログラム媒体２２に記録するホログラムの数（ページ数）を算出する。ＣＰＵ１は、メモリ２に記憶されている参照ビームの入射角度情報に基づいて、記録対象領域に対して入射する参照ビームの入射角度を算出する。尚、参照ビームの入射角度情報は、例えば既にホログラムが記録されている記録領域にデジタルデータを記録する場合において、当該ホログラムが記録されたときの参照ビームの入射角度を示すものである。そして、ＣＰＵ１は、入射角度情報が示す入射角度とは異なる、参照ビームの入射角度を算出する。この結果、ホログラム媒体２２に対して角度多重記録を行うことが可能となる。そして、ＣＰＵ１は、記録対象領域に対する参照ビームの入射角度を、算出した入射角度に定めるべく、ガルボミラー制御部１７に指示信号を送信する。
【００２５】
また、ＣＰＵ１は、ディテクタ２３からのアドレス情報を受信する。ＣＰＵ１は、ディテクタ２３からのアドレス情報が記録対象領域のアドレスを示すものであるか否か判別する。また、ＣＰＵ１は、データビームと参照ビームを記録対象領域に対して照射する期間を示す情報（以下、照射期間情報という）を、例えばメモリ２から読み出す。尚、照射期間情報とは、記録対象領域に対して、所定値以上の回折効率を有するホログラムを記録するためのデータビームと参照ビームの照射期間を示すものである。そして、ＣＰＵ１は、照射期間情報が示す照射期間を、第１シャッター１４と第２シャッター１１を開状態とする期間（以下、開状態期間（第１期間）という）ＴＡで除算した除算結果（以下、基準カウント値という）をＤＳＰ２９に送信する。尚、本実施形態においては、データビームと参照ビームの照射時間を定めるために、メモリ２に記憶されている照射時間情報を読み出しているが、これに限るものではない。例えば、照射時間を定めるために、ホログラム媒体２２に対してホログラムをテスト記録してもよい。そして、テスト記録したホログラムにより、参照ビームが回折した後のビームから回折効率を算出し、当該回折効率に基づいて照射時間を定めるように設けても良い。
【００２６】
ＣＰＵ１は、ＤＳＰ２９からのホログラムの記録が終了したことを示す信号（以下、記録終了信号という）を受信すると、記録対象領域のアドレス情報をメモリ２に記憶する。また、ＣＰＵ１は、参照ビームの入射角度を入射角度情報としてメモリ２に記憶する。そして、ＣＰＵ１は、算出したホログラムの数と、記録終了信号の受信回数が同一であると判別すると、ホログラム記録装置によるホログラムの記録を終了する。尚、ＣＰＵ１は、メモリ２のアドレスを指定するアドレスカウンタ（不図示）、メモリ２から読み出されるプログラムデータを解読するプログラムロジックアレイ（不図示）、論理演算を行う演算論理ユニット（不図示）、演算データを一時格納するレジスタ（不図示）等を有する。
【００２７】
メモリ２は、ＣＰＵ１が前述した処理を行うためのプログラムデータが予め記憶されている。また、メモリ２には、ホログラム媒体２２のプリピットが示す記録領域のアドレス情報が予め記憶されている。メモリ２には、ホログラム媒体２２に記録されたホログラムのアドレス情報が記憶される。メモリ２には、ホログラムが記録されたときの入射角度情報が記憶される。メモリ２には、各記録領域に応じた照射時間情報が予め記録されている。この照射時間情報は、ホログラム媒体２２に記録される全てのホログラムに応じて予め定められているものであり、例えば実験等によって予め得られるものである。尚、メモリ２は、例えばデータを電気消去することによりデータを繰り返し書き込み読み出し可能な不揮発性記憶素子（例えば、ＥＥＰＲＯＭ（Electronically Erasable and Programmable Read Only Memory））で構成されている。
【００２８】
ディスク制御部２４は、ＣＰＵ１からの指示信号に基づいて、記録対象領域のアドレス情報を示すにプリピットにサーボレーザービームを照射させるべく、ディスク駆動部２５に指示信号を送信する。また、ディスク制御部２４は、ディテクタ２３からの光強度情報に基づいて、ディスク駆動部２５をサーボ制御する。ディスク駆動部２５は、ディスク制御部２４からの指示信号に基づいて、ホログラム媒体２２を回転駆動させる。
【００２９】
レーザー装置１０は、時間的、空間的コヒーレンスに優れたレーザービームを１／２波長板１２に出射する。レーザー装置１０が出射するレーザービームは、ホログラム媒体２２に対してホログラムの記録が可能となる、例えばヘリウムネオンレーザー、アルゴンネオンレーザー、ヘリウムカドミウムレーザー、半導体レーザー、色素レーザー、ルビーレーザー等が用いられる。１／２波長板１２は、レーザー装置１０からのレーザービームのＰＢＳ１３への入射角度を定めるために、所定の傾きで設けられる。尚、１／２波長板１２の所定の傾きは、レーザービームがＰＢＳ１３にて２つのレーザービームに分離される際の分離割合を、所望の割合とすべく定められる。ＰＢＳ１３は、１／２波長板１２からのレーザービームを、２つのレーザービームに分離する。ＰＢＳ１３にて分離された一方のレーザービームである参照ビームは、第２シャッター１１に入射される。また、他方のレーザービームは、第１シャッター１４に入射される。
【００３０】
第１シャッター１４は、ＰＢＳ１３とＰＢＳ１５間における他方のレーザービームの光路に設けられ、図５に示す減光フィルタ３８、遮光フィルタ３９、ソレノイド４０(ａ)、４０(ｂ)、支持棒４１を有する。
【００３１】
ソレノイド４０(ａ)は、ＤＳＰ２９からの制御電圧(ａ)が印加され通電することにより、−Ｘ方向へ吸引される。ソレノイド４０(ｂ)は、ＤＳＰ２９からの制御電圧(ｂ)が印加され通電することにより、＋Ｘ方向へ吸引される。支持棒４１は、ソレノイド４０(ａ)、５２(ｂ)との間に所定の長さで設けられ、当該ソレノイド４０(ａ)、４０(ｂ)と固着されている。支持棒４１は、ソレノイド４０(ａ)、４０(ｂ)がともに非通電のとき、例えば弾性部材（不図示）の弾性力と、図５に示す構成全体を保持する保持部材（不図示）により、安定した状態となるものである。そして、ソレノイド４０(ａ)が通電しソレノイド４０(ｂ)が非通電のとき、当該ソレノイド４０(ａ)の吸引力によって、支持棒４１、ソレノイド４０(ｂ)はともに−Ｘ方向へ同じ移動量の移動をする。また、ソレノイド４０(ｂ)が通電しソレノイド４０(ａ)が非通電のとき、当該ソレノイド４０(ｂ)の吸引力により、支持棒４１、ソレノイド４０(ａ)はともに＋Ｘ方向へ同じ移動量の移動をする。
【００３２】
減光フィルタ３８は、支持棒４１とともに移動すべく、当該支持棒４１に固着して設けられている。尚、減光フィルタ３８の支持棒４１上の位置は、当該減光フィルタ３８が−Ｘ方向へ前述の移動量を移動したときの位置が他方のレーザービームの光路上になるように設けられる。減光フィルタ３８は、所定の減光率を有しており、ＰＢＳ１３からの他方のレーザービームを当該所定の減光率で減光する。つまり、減光フィルタ３８が支持棒４１とともに−Ｘ方向への移動量を移動したとき、他方のレーザービームの光路上に当該減光フィルタ３８が設けられ、第１シャッター１４は減光状態となる。例えば、減光フィルタ３８の減光率が１／４の場合、当該減光フィルタ３８を透過した後の他方のレーザービームの光強度は、透過する前の光強度に比して１／４となる。このように、他方のレーザービームの光強度が小さくなることによって、データビームによるホログラム媒体２２中のモノマーの消費を軽減することが可能となる。尚、減光フィルタ３８の減光率は、当該減光フィルタ３８に他方のレーザービームが入射されている状態（減光状態）において、演算部３１の出力がゼロとならない範囲で設けられる。
【００３３】
遮光フィルタ３９は、支持棒４１とともに移動すべく、当該支持棒４１に固着して設けられている。尚、遮光フィルタ３９の支持棒４１上の位置は、当該遮光フィルタ３９が＋Ｘ方向へ前述の移動量を移動したときの位置が他方のレーザービームの光路上になるように設けられる。そして、遮光フィルタ３９は、入射された他方のレーザービームを遮光する。つまり、遮光フィルタ３９が支持棒４１とともに＋Ｘ方向への移動量を移動したとき、他方のレーザービームの光路上に当該遮光フィルタ３９が設けられ、第１シャッター１４は閉状態となる。
【００３４】
尚、ソレノイド４０(ａ)、４０(ｂ)の何れにも制御電圧(ａ)、(ｂ)が印加されていない安定状態において、他方のレーザービームは、図５に示すように減光フィルタ３８と遮光フィルタ３９の間を透過する。この結果、第１シャッター１４は開状態となる。尚、以下の説明においては、第１シャッター１４が開状態において透過する他方のレーザービームを透過レーザービームといい、当該透過レーザービームがＳＬＭ９にて反射された後のビームを透過データビームという。また、第１シャッター１４が減光状態において減光された他方のレーザービームを減光レーザービームといい、当該減光レーザービームがＳＬＭ９にて反射された後のビームを減光データビームという。
【００３５】
尚、本実施形態においては、減光フィルタ３８を設けてホログラム媒体２２中のモノマーの消費を軽減しているが、仮にモノマーの消費を考慮しない場合においては、減光フィルタ３８を設けない構成とすることも可能である。また、第１シャッター１４は、ＰＢＳ１３とＰＢＳ１５間に設けられているが、これに限るものではない。例えば、ＳＬＭ９とホログラム媒体２２間におけるデータビームの光路に設けることも可能である。
【００３６】
また、第１シャッター１４は、前述の構成に限るものではない。例えば、図６に示す減光フィルタ３８、遮光フィルタ３９を有する切りかぎ形状の板（以下、フィルタ板という）を設けても良い。尚、フィルタ板は、図６に示すように、例えば円を３等分したときの２つの領域に各フィルタを配設し、残り領域を空間とすることによって形成される。フィルタ板は、不図示のモータ（例えばステッピングモータ）の回転軸４２に軸支されている。フィルタ板は、モータに制御電圧が印加されていない状態において、他方のレーザービームが空間となる領域を透過するように設けられている。そして、ＤＳＰ２９からの制御電圧(ａ)がモータに印加されると、当該モータは回転軸４２を−Ｙ方向へ略１２０度回転させ、減光フィルタ３８を他方のレーザービームの光路に移動させる。この結果、減光フィルタ３８に入射された他方のレーザービームは、当該減光フィルタ３８にて減光される。また、ＤＳＰ２９からの制御電圧(ｂ)がモータに印加されると、当該モータは回転軸４２を＋Ｙ方向へ略１２０度回転させ、遮光フィルタ３９を他方のレーザービームの光路に移動させる。この結果、遮光フィルタ３９に入射された他方のレーザービームは、当該遮光フィルタ３９にて遮光される。
【００３７】
ＰＢＳ１５は、第１シャッター１４からの透過レーザービーム及び減光レーザービームを反射してＳＬＭ９に入射させる。そして、透過レーザービームがＳＬＭ９にて反射されることによって、２次元濃淡画像パターンの情報が反映された透過データビームとなる。同様に、減光レーザービームは、減光データビームとなる。また、ＰＢＳ１５は、ＳＬＭ９からの透過データビーム及び減光データビームを透過し、フーリエ変換レンズ２１に入射させる。フーリエ変換レンズ２１は、透過データビーム及び減光データビームを集光しつつ、フーリエ変換を施して、ホログラム媒体２２に入射させる。尚、フーリエ変換レンズ２１を設けた理由としては、透過データビーム及び減光データビームに対してノイズが発生した場合であっても、スペクトラムに展開することで当該ノイズの影響を減少することが可能となるためである。
【００３８】
第２シャッター１１は、ＰＢＳ１３とガルボミラー１６間における参照ビームの光路に設けられ、ＤＳＰ２９からの制御により当該参照ビームに対して開状態、閉状態となる。尚、第２シャッター１１は、図５に示す減光フィルタ３８が無い構成となっている。以下、第１シャッター１４が減光状態、第２シャッター１１が閉状態となる期間を、減光閉状態期間ＴＢ（第２期間）という。
【００３９】
ガルボミラー制御部１７は、ＣＰＵ１からの指示信号に基づいて、ガルボミラー１６の偏向角度を制御する。このカルボミラー制御部１７によるカルボミラー１６の偏向角度の制御によって、参照ビームの入射角度を変化させることが可能となり、ホログラム媒体２２に対する角度多重記録が可能となる。ガルボミラー１６は、第２シャッター１１からの参照ビームを偏向し、ダイクロックミラー１８へ入射させる。ダイクロックミラー１８は、参照ビームを透過してスキャナレンズ２０に入射させる。また、ダイクロックミラー１８は、サーボレーザー装置１９からのサーボレーザービームを反射して、スキャナレンズ２０へ入射させる。スキャナレンズ２０は、参照ビームを屈折する。この結果、ホログラム媒体２２に対し、ＣＰＵ１にて算出された入射角度で参照ビームが入射される。そして、開状態期間ＴＡにおいて、透過データビームと参照ビームとがホログラム媒体２２中で干渉することにより、ホログラムが記録されることとなる。また、スキャナレンズ２０は、サーボレーザービームをホログラム媒体２２のプリピットに照射させる。
【００４０】
フーリエ変換レンズ２６は、開状態期間ＴＡにおいて、ホログラム媒体２２中で参照ビームと干渉した後の透過データビームが入射される。また、フーリエ変換レンズ２６は、減光閉状態期間ＴＢにおいて、ホログラム媒体２２を透過した後の減光データビームが入射される。そして、フーリエ変換レンズ２６は、透過データビーム及び減光データビームに対し、逆フーリエ変換を施してイメージセンサ２７に入射させる。尚、本実施形態においては、フーリエ変換レンズ２１、２６を用いているが、これに限るものではない。フーリエ変換レンズ２１、２６に換えて対物レンズを用いても良い。この場合、フーリエ変換レンズ２１に換えて用いられる対物レンズは、ＰＢＳ１５からの透過データビーム及び減光データビームを集光して、ホログラム媒体２２に入射させることとなる。また、フーリエ変換レンズ２６に換えて用いられる対物レンズは、ホログラム媒体２２からの透過データビーム及び減光データビームを拡大して、イメージセンサ２７に入射させることとなる。
【００４１】
イメージセンサ２７は、図７、図８に示すようにＰＣＢ（Printed Circuit Board:プリント基板）４３上に、受光面４４、４分割センサ４５(Ａ)乃至４５(Ｄ)、集光レンズ４６(Ａ)乃至(Ｄ)、ガラス４７が配設された構成となっている。尚、本実施形態においては、受光面４１をイメージセンサ２７の構成要件としているが、受光面４１を構成要件としないことも可能である。
【００４２】
集光レンズ４６(Ａ)乃至(Ｄ)は、フーリエ変換レンズ２６からの透過データビーム及び減光データビームのうちの判別用データビームを、４分割センサ４５(Ａ)乃至４５(Ｄ)より小さくすべく、当該判別用データビームを集光して出射する。ガラス４７（または光学フィルタ）は、４分割センサ４５(Ａ)乃至４５(Ｄ)を保護すべく設けられる。受光面４１は、透過データビーム及び減光データビームのうちのデジタルデータを示すビームが入射される。
【００４３】
４分割センサ４５(Ａ)乃至４５(Ｄ)は、図９（及び図７）に示すＸ方向とＹ方向にそれぞれ２等分された４つの受光領域Ａ乃至Ｄを有している。つまり、４分割センサ４５(Ａ)乃至４５(Ｄ)はそれぞれ、同一面積となる４つの受光領域Ａ乃至Ｄを有している。４分割センサ４５(Ａ)乃至４５(Ｄ)は、ホログラム媒体２２、透過データビーム及び減光データビームが振動による影響を受けていないとき、４つの受光領域Ａ乃至Ｄに判別用データビームが均等に照射されるように設けられている。つまり、図１０一点鎖線に示す位置にて判別用データビームが受光されたとき、４つの受光領域Ａ乃至Ｄは均等な範囲で当該判別用データビームを受光し、振動が発生していないことがわかる。逆に、ホログラム媒体２２、透過データビーム及び減光データビームが振動による影響を受けている場合、４つの受光領域Ａ乃至Ｄには判別用データビームが不均等に照射される。つまり、例えば図１０二点鎖線に示す位置にて判別用データビームが受光されたとき、４つの受光領域Ａ乃至Ｄは不均等な範囲で当該判別用データビームを受光し、ホログラム媒体２２や、透過データビーム及び減光データビームを出射するホログラム記録装置に振動が発生していることがわかる。
【００４４】
そして、４分割センサ４５(Ａ)乃至４５(Ｄ)は、各受光領域Ａ乃至Ｄにおいて判別用データビームを受光した領域（以下、受光面積という）に応じた信号を、イメージセンサ制御部２８、演算部３１に出力する。
【００４５】
詳述すると、４分割センサ４５(Ａ)は、受光領域Ａの受光面積に応じた信号ＡＡと、受光領域Ｂの受光面積に応じた信号ＡＢと、受光領域Ｃの受光面積に応じた信号ＡＣと、受光領域Ｄの受光面積に応じた信号ＡＤを出力する。また、４分割センサ４５(Ｂ)は、受光領域Ａの受光面積に応じた信号ＢＡと、受光領域Ｂの受光面積に応じた信号ＢＢと、受光領域Ｃの受光面積に応じた信号ＢＣと、受光領域Ｄの受光面積に応じた信号ＢＤを出力する。また、４分割センサ４５(Ｃ)は、受光領域Ａの受光面積に応じた信号ＣＡと、受光領域Ｂの受光面積に応じた信号ＣＢと、受光領域Ｃの受光面積に応じた信号ＣＣと、受光領域Ｄの受光面積に応じた信号ＣＤを出力する。また、４分割センサ４５(Ｄ)は、受光領域Ａの受光面積に応じた信号ＤＡと、受光領域Ｂの受光面積に応じた信号ＤＢと、受光領域Ｃの受光面積に応じた信号ＤＣと、受光領域Ｄの受光面積に応じた信号ＤＤを出力する。この結果、４分割センサ４５(Ａ)乃至４５(Ｄ)からイメージセンサ制御部２８、演算部３１に出力される信号の数は、４×４＝１６となる。尚、図１において、イメージセンサ２７からのイメージセンサ制御部２８、演算部３１への信号線は１本しか示されていないが、実際は４分割センサ４５(Ａ)乃至４５(Ｄ)からの信号数（１６）と同じ１６本の信号線が接続されている。
【００４６】
イメージセンサ制御部２８は、イメージセンサ２７からの信号（ＡＡ〜ＡＤ、ＢＡ〜ＢＤ、ＣＡ〜ＣＤ、ＤＡ〜ＤＤ）に基づいて、透過データビーム及び減光データビームに対する、イメージセンサ２７のＸ方向、Ｙ方向、Ｚ方向における位置誤差を算出する。イメージセンサ制御部２８は、算出した位置誤差に基づいて、当該位置誤差を補正すべくイメージセンサ２７に指示信号を送信する。この結果、デジタルデータを示すビームが受光面４１に確実に入射され、判別用データビームが４分割センサ４５(Ａ)乃至４５(Ｄ)に確実に入射されることとなる。
【００４７】
演算部３１は、イメージセンサ２７からの信号（ＡＡ〜ＡＤ、ＢＡ〜ＢＤ、ＣＡ〜ＣＤ、ＤＡ〜ＤＤ）をサンプリングし、サンプリングデータに基づいて受光面積誤差を算出する。詳述すると、演算部３１は、イメージセンサ２７からの信号ＡＡ乃至ＡＤに基づいて、４分割センサ４５(Ａ)のＸ方向における受光面積誤差Ａ(Ｘ)＝（ＡＡ＋ＡＤ）−（ＡＢ＋ＡＣ）を算出する。また、演算部３１は、イメージセンサ２７からの信号ＢＡ乃至ＢＤに基づいて、４分割センサ４５(Ｂ)のＸ方向における受光面積誤差Ｂ(Ｘ)＝（ＢＡ＋ＢＤ）−（ＢＢ＋ＢＣ）を算出する。また、演算部３１は、イメージセンサ２７からの信号ＣＡ乃至ＣＤに基づいて、４分割センサ４５(Ｃ)のＸ方向における受光面積誤差Ｃ(Ｘ)＝（ＣＡ＋ＣＤ）−（ＣＢ＋ＣＣ）を算出する。また、演算部３１は、イメージセンサ２７からの信号ＤＡ乃至ＤＤに基づいて、４分割センサ４５(Ｄ)のＸ方向における受光面積誤差Ｄ(Ｘ)＝（ＤＡ＋ＤＤ）−（ＤＢ＋ＤＣ）を算出する。そして、演算部３１は、Ａ(Ｘ)＋Ｂ(Ｘ)＋Ｃ(Ｘ)＋Ｄ(Ｘ)からＸ方向における受光面積誤差(Ｘ)を算出し、アナログデジタル変換処理してＤＳＰ２９に出力する。尚、演算部３１にて算出された受光面積誤差(Ｘ)がゼロとなる場合、ホログラム媒体、透過データビーム及び減光データビームを出射するホログラム記録装置は、Ｘ方向において振動していないこととなる。
【００４８】
また演算部３１は、信号ＡＡ乃至ＡＤに基づいて、４分割センサ４５(Ａ)のＹ方向における受光面積誤差Ａ(Ｙ)＝（ＡＤ＋ＡＣ）−（ＡＡ＋ＡＢ）を算出する。また、演算部３１は、信号ＢＡ乃至ＢＤに基づいて、４分割センサ４５(Ｂ)のＹ方向における受光面積誤差Ｂ(Ｙ)＝（ＢＤ＋ＢＣ）−（ＢＡ＋ＢＢ）を算出する。また、演算部３１は、信号ＣＡ乃至ＣＤに基づいて、４分割センサ４５(Ｃ)のＹ方向における位置誤差Ｃ(Ｙ)＝（ＣＤ＋ＣＣ）−（ＣＡ＋ＣＢ）を算出する。また、演算部３１は、信号ＤＡ乃至ＤＤに基づいて、４分割センサ４５(Ｄ)のＹ方向における位置誤差Ｄ(Ｙ)＝（ＤＤ＋ＤＣ）−（ＤＡ＋ＤＢ）を算出する。そして、演算部３１は、Ａ(Ｙ)＋Ｂ(Ｙ)＋Ｃ(Ｙ)＋Ｄ(Ｙ)からＹ方向における受光面積誤差(Ｙ)を算出し、アナログデジタル変換処理してＤＳＰ２９に出力する。尚、演算部３１にて算出された受光面積誤差(Ｙ)がゼロとなる場合、ホログラム媒体、透過データビーム及び減光データビームを出射するホログラム記録装置は、Ｙ方向において振動していないこととなる。
【００４９】
また、演算部３１は、算出した受光面積誤差Ｂ(Ｘ)、Ｄ(Ｘ)、Ｃ(Ｙ)、Ａ(Ｙ)に基づいて、（Ｃ(Ｙ)−Ａ(Ｙ)）−（Ｂ(Ｘ)−Ｄ(Ｘ)）からＺ方向における受光面積誤差(Ｚ)を算出し、アナログデジタル変換処理してＤＳＰ２９に出力する。尚、演算部３１にて算出された受光面積誤差(Ｚ)がゼロとなる場合、ホログラム媒体、透過データビーム及び減光データビームを出射するホログラム記録装置は、Ｚ方向において振動していないこととなる。
【００５０】
ＤＳＰ２９は、ＣＰＵ１からの基準カウント値を受信すると、第１タイマ３６をリセットして、計時をスタートさせる。ＤＳＰ２９は、第１シャッター１４及び第２シャッター１１を開状態とする。この結果、ホログラムの記録が開始されることとなる。そして、ＤＳＰ２９は、第１タイマ３６の計時が開状態期間ＴＡに達したと判別する都度、カウンタ３３をカウント動作させる。
【００５１】
ＤＳＰ２９は、カウンタ３３のカウント値が基準カウント値に達していないと判別すると、第１タイマ３６をリセットして、計時をスタートさせる。また、ＤＳＰ２９は、第１シャッター１４を減光状態、第２シャッター１１を閉状態とする。詳述すると、ＤＳＰ２９は、第１シャッター１４を減光状態とするための制御電圧(ａ)を、当該第１シャッター１４に出力する。また、ＤＳＰ２９は、第２シャッター１１を閉状態とするための制御電圧(ｂ)を、当該第２シャッター１１に出力する。そして、ＤＳＰ２９は、第１タイマ３６の計時が減光閉状態期間ＴＢに達したと判別すると、第１タイマ３６をリセットして、計時をスタートさせる。そして、ＤＳＰ２９は、第１シャッター１４と第２シャッター１１を再び開状態とする。
【００５２】
ＤＳＰ２９は、カウンタ３３のカウント値が基準カウント値に達したと判別すると、第１シャッター１４及び第２シャッター１１を閉状態とすべく、制御電圧(ｂ)を当該第１シャッター１４及び第２シャッター１１に出力する。また、ＤＳＰ２９は、記録終了信号をＣＰＵ１に送信する。この結果、ホログラムの記録が終了することとなる。
【００５３】
また、ＤＳＰ２９は、演算部３１からの受光面積誤差(Ｘ)、(Ｙ)、(Ｚ)の絶対値│Ｘ│、│Ｙ│、│Ｚ│を加算する。そして、ＤＳＰ２９は、加算結果│Ｘ│＋│Ｙ│＋│Ｚ│がデジタル値の基準値Ｖよりハイレベルであるか否かを判別する。この基準値Ｖは、ホログラムの記録において許容可能な振動を示すものである。詳述すると、ホログラム記録装置、ホログラム媒体２２に対して、│Ｘ│＋│Ｙ│＋│Ｚ│が基準値Ｖ以下となる振動が発生した場合であっても、当該ホログラム媒体２２には適切なホログラムが記録されることとなる。つまり、ホログラム媒体２２に対して、所定値の回折効率を有するホログラムが、所定の間隔（例えば、レーザービームがヘリウムネオンレーザーである場合の最小間隔３１６．５nm）以内で記録されることとなる。逆に、│Ｘ│＋│Ｙ│＋│Ｚ│が基準値Ｖより大きい場合、振動の影響を受けた（例えば所定の間隔を超える）ホログラムが記録されてしまうこととなる。尚、基準値Ｖを求めるには、例えば実験等において、複数の振幅レベルの振動をホログラム記録装置、ホログラム媒体２２に発生させてホログラムを記録する。そして、複数の振動を発生させたときの│Ｘ│＋│Ｙ│＋│Ｚ│を算出しておく。そして、どの程度の振幅レベルの振動を発生させたとき、不適切なホログラムが記録されるかを求めることにより、基準値Ｖを定めることが可能となる。
【００５４】
そして、ＤＳＰ２９は、│Ｘ│＋│Ｙ│＋│Ｚ│が基準値Ｖよりハイレベルであると判別すると、第１タイマ３６の計時をストップさせる。そして、開状態期間ＴＡにおいて当該判別をした場合、第１シャッター１４を減光状態とし、第２シャッター１１を閉状態とする。ＤＳＰ２９は、第２タイマ３７をリセットして、計時をスタートさせる。尚、減光開状態期間ＴＢにおいて当該判別をした場合においても同様に、ＤＳＰ２９は、第２タイマ３７をリセットして、計時をスタートさせる。そして、ＤＳＰ２９は、第２タイマ３７の計時が期間ＴＹに達したか否かを判別する。尚、第２タイマ３７の計時が期間ＴＹに達するまでに、演算部３１からの受光面積誤差(Ｘ)、(Ｙ)、(Ｚ)が入力された場合、ＤＳＰ２９は再び│Ｘ│＋│Ｙ│＋│Ｚ│を算出し、当該│Ｘ│＋│Ｙ│＋│Ｚ│が基準値Ｖよりハイレベルであるか否かを再び判別する。そして、ＤＳＰ２９は、│Ｘ│＋│Ｙ│＋│Ｚ│が基準値Ｖよりハイレベルであると判別すると、第２タイマ３７の計時をリセットして、再び計時をスタートさせる。ＤＳＰ２９は、第２タイマ３７の計時が期間ＴＹに達したと判別すると、第１タイマ３６の計時を再スタートさせる。そして、開状態期間ＴＡにおいて当該判別をした場合、第１シャッター１４及び第２シャッター１１を開状態とする。尚、本実施形態においては、│Ｘ│＋│Ｙ│＋│Ｚ│が基準値Ｖよりもハイレベルである場合、例えば所定の超えるホログラムがホログラム媒体２２に記録されるものとして、基準値Ｖを設けているがこれに限るものではない。例えば、本実施形態における基準値Ｖよりもローレベルに基準値Ｖを設けても良い。この結果、より確実に適切なホログラムを記録することが可能となる。
【００５５】
＝＝＝  ホログラム記録装置の動作  ＝＝＝
図１、図４乃至図１２を参照しつつ、本発明係るホログラム記録装置の動作について説明する。図１１は、ＤＳＰ２９の動作の一例を示すフローチャートである。図１２は、本発明に係るホログラム記録装置の動作の一例を示すタイミングチャートである。尚、図１２に示す│Ｘ│＋│Ｙ│＋│Ｚ│は、論理値‘１’‘０’の組み合わせで表されるデジタル値であるが、説明の便宜上、このデジタル値に応じたアナログ値で示すものである。
【００５６】
例えば、ＰＣ等のホスト機器からの記録指示信号が、接続端子４、インタフェース３を介してバッファ５に記憶される。また、バッファ５には、記録の対象となるデジタルデータが記憶される。この結果、ＣＰＵ１は、バッファ５に記録指示信号が記憶されていると判別する。そして、ＣＰＵ１は、バッファ５に記憶されているデジタルデータをエンコーダ７に送信させる。
【００５７】
エンコーダ７に送信されたデジタルデータは、エンコード処理が施されてマッピング処理部８に送信される。マッピング処理部８は、ＳＬＭ９の各頂点側の９つのピクセル（a1〜a3、b1〜b3、c1〜c3、v1〜v3、w1〜w3、x1〜x3、a22〜a24、b22〜b24、c22〜c24、v22〜v24、w22〜w24、x22〜x24）に対し、一方の論理値‘１’を判別用データとして設定する。そして、マッピング処理部８が、デジタルデータに対してマッピング処理を施すことによって、図４(a)に示す単位ページ配列データがＳＬＭ９に設定される。ＳＬＭ９は、一方の論理値‘１’に対して明、他方の論理値‘０’に対して暗とし、単位ページ配列データに基づく２次元濃淡画像パターン（図４(b)）を形成する。
【００５８】
ＣＰＵ１は、前回のホログラム記録において、最後にホログラムが記録された記録領域のアドレス情報をメモリ２から読み出し、記録対象領域を算出する。そして、ＣＰＵ１は、記録対象領域のアドレス情報を示すプリピットにサーボレーザービームを照射させるべく、ディスク制御部２４に指示信号を送信する。サーボレーザー装置１９は、ホログラム記録装置が起動開始するとともに、サーボレーザービームを出射する。サーボレーザービームは、ダイクロックミラー１８にて反射されてスキャナレンズ２０に入射される。スキャナレンズ２０に入射されたサーボレーザービームは、ホログラム媒体２２のアドレス情報を示すプリピットを照射した後、ディテクタ２３に入射される。
【００５９】
ＣＰＵ１からの指示信号を受信したディスク制御部２４は、当該指示信号に基づいて、記録対象領域のアドレス情報を示すプリピットにサーボレーザービームを照射させるべく、ディスク駆動部２５に指示信号を送信する。ディスク駆動部２５は、ディスク制御部２４からの指示信号に基づいて、ホログラム媒体２２を回転駆動させる。サーボレーザービームを受光したディテクタ２３は、当該サーボレーザービームに基づいて検出したアドレス情報をＣＰＵ１に送信する。ＣＰＵ１は、ディテクタ２３からのアドレス情報が記録対象領域のアドレス情報であるか否かを判別する。そして、ＣＰＵ１がディテクタ２３からのアドレス情報が記録対象領域のアドレス情報であると判別することによって、当該記録対象領域にホログラムを記録することが可能となる。
【００６０】
また、ＣＰＵ１は、バッファ５に記憶されたデジタルデータのデータ量に基づいて、ホログラム媒体２２に記録するホログラムの数を算出する。尚、本実施形態においてＣＰＵ１は、ホログラム媒体２２に記録するホログラムの数を‘１’と算出したものとして説明する。また、ＣＰＵ１は、メモリ２に記憶されている参照ビームの入射角度情報に基づいて、記録対象領域に対して入射する参照ビームの入射角度を算出する。そして、ＣＰＵ１は、記録対象領域に対する参照ビームの入射角度を、算出した入射角度に定めるべく、ガルボミラー制御部１７に指示信号を送信する。ＣＰＵ１からの指示信号を受信したガルボミラー制御部１７は、当該指示信号に基づいて、ガルボミラー１６の偏向角度を制御する。
【００６１】
また、ＣＰＵ１は、記録対象領域に対する照射期間情報をメモリ２から読み出す。そして、ＣＰＵ１は、照射期間情報が示す照射期間を開状態期間ＴＡで除算し、除算結果である基準カウント値をＤＳＰ２９に送信する。尚、本実施形態においては、ＣＰＵ１は、基準カウント値‘６’を算出したものとして説明する。
【００６２】
レーザー装置１０から出射されたレーザービームは、所定の傾きで設けられた１／２波長板１２を介してＰＢＳ１３に入射される。そして、レーザービームは、ＰＢＳ１３にて２つのレーザービームに分離される。一方のレーザービームである参照ビームは、第２シャッター１１に入射する。また、他方のレーザービームは、第１シャッター１４に入射する。
【００６３】
ＤＳＰ２９は、ＣＰＵ１からの基準カウント値を受信すると（Ｓ１０１・ＹＥＳ）、第１タイマ３６をリセットして、計時をスタートさせる（Ｓ１０２）。そして、ＤＳＰ２９は、第１シャッター１４を開状態とする（Ｓ１０３）。また、ＤＳＰ２９は、第２シャッター１１を開状態とする（Ｓ１０４）。そして、ＤＳＰ２９は、第１タイマ３６の計時が開状態期間ＴＡに達したか否かを判別する（Ｓ１０５）。
【００６４】
ＰＢＳ１３からの他方のレーザービームは、第１シャッター１４が開状態となることによって、ＰＢＳ１５に入射する。つまり、透過レーザービームがＰＢＳ１３に入射することとなる。そして、透過レーザービームは、ＰＢＳ１５にて反射されてＳＬＭ９に入射し、当該ＳＬＭ９にて反射されることにより２次元濃淡画像パターンの情報が反映された透過データビームとなる。そして、透過データビームは、ＰＢＳ１５を透過してフーリエ変換レンズ２１に入射する。透過データビームは、フーリエ変換レンズ２１にて集光されつつフーリエ変換が施された後、ホログラム媒体２２に入射する。
【００６５】
参照ビームは、第２シャッター１１が開状態となることによって、ガルボミラー１６に入射する。そして、参照ビームは、ガルボミラー１６にて偏向され、ダイクロックミラー１８に入射する。参照ビームは、ダイクロックミラー１８を透過して、スキャナレンズ２０に入射する。参照ビームは、スキャナレンズ２０にて屈折されてホログラム媒体２２に入射する。この結果、参照ビームが、ＣＰＵ１にて算出した入射角度でホログラム媒体２２に入射することとなる。そして、透過データビームと参照ビームの干渉により、ホログラム媒体２２に対して、デジタルデータを示すホログラムの記録が開始されることとなる（ｔ０）。
【００６６】
先ず、振動が発生していない場合及び基準値Ｖ以下の振動が発生した場合における、ホログラム記録装置の動作について説明する（ｔ０ｔ３間）。
【００６７】
ホログラム媒体２２にて参照ビームと干渉した後の透過データビームは、フーリエ変換レンズ２６に入射する。そして、透過データビームは、フーリエ変換レンズ２６にて逆フーリエ変換が施された後、イメージセンサ２７に入射する。そして、透過データビームのうちの判別用データビームは、イメージセンサ２７の集光レンズ４６(Ａ)乃至(Ｄ)にて集光され、４分割センサ４５(Ａ)乃至４５(Ｄ)に入射する。
【００６８】
４つの受光領域Ａ乃至Ｄにて判別用データビームを受光した４分割センサ４５(Ａ)は、受光領域Ａの受光面積に応じた信号ＡＡと、受光領域Ｂの受光面積に応じた信号ＡＢと、受光領域Ｃの受光面積に応じた信号ＡＣと、受光領域Ｄの受光面積に応じた信号ＡＤをイメージセンサ制御部２８、演算部３１に出力する。また、４つの受光領域Ａ乃至Ｄにて判別用データビームを受光した４分割センサ４５(Ｂ)は、受光領域Ａの受光面積に応じた信号ＢＡと、受光領域Ｂの受光面積に応じた信号ＢＢと、受光領域Ｃの受光面積に応じた信号ＢＣと、受光領域Ｄの受光面積に応じた信号ＢＤをイメージセンサ制御部２８、演算部３１に出力する。また、４つの受光領域Ａ乃至Ｄにて判別用データビームを受光した４分割センサ４５(Ｃ)は、受光領域Ａの受光面積に応じた信号ＣＡと、受光領域Ｂの受光面積に応じた信号ＣＢと、受光領域Ｃの受光面積に応じた信号ＣＣと、受光領域Ｄの受光面積に応じた信号ＣＤをイメージセンサ制御部２８、演算部３１に出力する。また、４つの受光領域Ａ乃至Ｄにて判別用データビームを受光した４分割センサ４５(Ｄ)は、受光領域Ａの受光面積に応じた信号ＤＡと、受光領域Ｂの受光面積に応じた信号ＤＢと、受光領域Ｃの受光面積に応じた信号ＤＣと、受光領域Ｄの受光面積に応じた信号ＤＤをイメージセンサ制御部２８、演算部３１に出力する。
【００６９】
信号（ＡＡ〜ＡＤ、ＢＡ〜ＢＤ、ＣＡ〜ＣＤ、ＤＡ〜ＤＤ）が入力されたイメージセンサ制御部２８は、当該信号に基づいて、透過データビームに対するイメージセンサ２７のＸ方向、Ｙ方向、Ｚ方向における位置誤差を算出する。尚、本実施形態においては、透過データビームに対するイメージセンサ２７の位置誤差はないものとし、イメージセンサ制御部２８が算出する位置誤差はゼロとなるものとする。
【００７０】
また、信号（ＡＡ〜ＡＤ、ＢＡ〜ＢＤ、ＣＡ〜ＣＤ、ＤＡ〜ＤＤ）が入力された演算部３１は、当該信号に基づいて、Ｘ方向における受光面積誤差(Ｘ)を算出する。つまり、演算部３１は、
受光面積誤差(Ｘ)
＝Ａ(Ｘ)＋Ｂ(Ｘ)＋Ｃ(Ｘ)＋Ｄ(Ｘ)
＝{（ＡＡ＋ＡＤ）−（ＡＢ＋ＡＣ）}＋{（ＢＡ＋ＢＤ）−（ＢＢ＋ＢＣ）}＋{（ＣＡ
＋ＣＤ）−（ＣＢ＋ＣＣ）}＋{（ＤＡ＋ＤＤ）−（ＤＢ＋ＤＣ）}
から受光面積誤差(Ｘ)を算出する。また、演算部３１は、入力された信号に基づいて、Ｙ方向における受光面積誤差(Ｙ)を算出する。つまり、演算部３１は、
受光面積誤差(Ｙ)
＝Ａ(Ｙ)＋Ｂ(Ｙ)＋Ｃ(Ｙ)＋Ｄ(Ｙ)
＝{（ＡＤ＋ＡＣ）−（ＡＡ＋ＡＢ）}＋{（ＢＤ＋ＢＣ）−（ＢＡ＋ＢＢ）}＋{（ＣＤ
＋ＣＣ）−（ＣＡ＋ＣＢ）}＋{（ＤＤ＋ＤＣ）−（ＤＡ＋ＤＢ）}
から受光面積誤差(Ｙ)を算出する。また、演算部３１は、入力された信号に基づいて、Ｚ方向における受光面積誤差(Ｚ)を算出する。つまり、演算部３１は、
受光面積誤差(Ｚ)
＝（Ｃ(Ｙ)−Ａ(Ｙ)）−（Ｂ(Ｘ)−Ｄ(Ｘ)）
＝[{（ＣＤ＋ＣＣ）−（ＣＡ＋ＣＢ）}−{（ＡＤ＋ＡＣ）−（ＡＡ＋ＡＢ）}]
−[{（ＢＡ＋ＢＤ）−（ＢＢ＋ＢＣ）}−{（ＤＡ＋ＤＤ）−（ＤＢ＋ＤＣ）}]
から受光面積誤差(Ｚ)を算出する。そして、演算部３１は、受光面積誤差(Ｘ)、(Ｙ)、(Ｚ)をＤＳＰ２９に出力する。
【００７１】
ＤＳＰ２９は、演算部３１からの受光面積誤差(Ｘ)、(Ｙ)、(Ｚ)の絶対値│Ｘ│、│Ｙ│、│Ｚ│を加算する（Ｓ１０６）。そして、ＤＳＰ２９は、加算結果│Ｘ│＋│Ｙ│＋│Ｚ│が基準値Ｖよりハイレベルであるか否かを判別する（Ｓ１０７）。ＤＳＰ２９は、│Ｘ│＋│Ｙ│＋│Ｚ│が基準値Ｖ以下であると判別すると（Ｓ１０７・ＮＯ）、再び第１タイマ３６の計時が開状態期間ＴＡに達したか否かを判別する（Ｓ１０５）。
【００７２】
そして、ＤＳＰ２９は、第１タイマ３６の計時が開状態期間ＴＡに達したと判別すると（Ｓ１０５・ＹＥＳ）、カウンタ３３にカウント動作させる（Ｓ１０８）。そして、ＤＳＰ２９は、カウンタ３３のカウント値が基準カウント値‘６’に達したか否かを判別する（Ｓ１０９）。ＤＳＰ２９は、カウンタ３３のカウント値が基準カウント値に達していないと判別すると（Ｓ１０９・ＮＯ）、第１タイマ３６をリセットして、計時をスタートさせる（Ｓ１１０）。そして、ＤＳＰ２９は、第１シャッター１４を減光状態とすべく、制御電圧(ａ)を当該第１シャッター１４に出力する（Ｓ１１１）。また、ＤＳＰ２９は、第２シャッター１１を閉状態とすべく、制御電圧(ｂ)を当該第２シャッター１１に出力する（Ｓ１１２）。そして、ＤＳＰ２９は、第１タイマ３６の計時が、減光閉状態期間ＴＢに達したか否かを判別する（Ｓ１１３）。
【００７３】
第１シャッター１４のソレノイド４０(ａ)は、制御電圧(ａ)が印加され通電することにより、−Ｘ方向へ吸引される。そして、ソレノイド４０(ａ)の吸引力により、減光フィルタ３８が−Ｘ方向へ移動する。この結果、第１シャッター１４は減光状態となり、当該第１シャッター１４に入射した他方のレーザービームは、減光フィルタ３８の減光率に応じて減光される。そして、第１シャッター１４を介して、減光レーザービームがＰＢＳ１５に入射することとなる。第２シャッター１１のソレノイド４０(ｂ)は、制御電圧(ｂ)が印加され通電することにより、＋Ｘ方向へ吸引される。そして、ソレノイド４０(ｂ)の吸引力により、遮光フィルタ３９が＋Ｘ方向へ移動する。この結果、第２シャッター１１は閉状態となり、第２シャッター１１に入射した参照ビームは、遮光フィルタ３９にて遮光される。つまり、参照ビームがホログラム媒体２２に入射されなくなり、ホログラムの記録が中断されることとなる（ｔ１）。
【００７４】
そして、減光レーザービームは、ＰＢＳ１５にて反射されてＳＬＭ９に入射し、当該ＳＬＭ９にて反射されることにより２次元濃淡画像パターンの情報が反映された減光データビームとなる。そして、減光データビームは、ＰＢＳ１５を透過してフーリエ変換レンズ２１に入射する。減光データビームは、フーリエ変換レンズ２１にて集光されつつフーリエ変換が施された後、ホログラム媒体２２に入射する。そして、ホログラム媒体２２に入射した減光データビームは、参照ビームと干渉することなく透過してフーリエ変換レンズ２６に入射する。減光データビームは、フーリエ変換レンズ２６にて逆フーリエ変換が施された後、イメージセンサ２７に入射する。そして、減光データビームのうちの判別用データビームは、イメージセンサ２７の集光レンズ４６(Ａ)乃至(Ｄ)にて集光され、４分割センサ４５(Ａ)乃至４５(Ｄ)に入射する。そして、前述と同様に、演算部３１から受光面積誤差(Ｘ)、(Ｙ)、(Ｚ)がＤＳＰ２９に出射される。
【００７５】
そして、ＤＳＰ２９は、演算部３１からの受光面積誤差(Ｘ)、(Ｙ)、(Ｚ)の絶対値│Ｘ│、│Ｙ│、│Ｚ│を加算する（Ｓ１１４）。そして、ＤＳＰ２９は、加算結果│Ｘ│＋│Ｙ│＋│Ｚ│が基準値Ｖよりハイレベルであるか否かを判別する（Ｓ１１５）。ＤＳＰ２９は、│Ｘ│＋│Ｙ│＋│Ｚ│が基準値Ｖ以下であると判別すると（Ｓ１１５・ＮＯ）、再び第１タイマ３６の計時が減光閉状態期間ＴＢに達したか否かを判別する（Ｓ１１３）。そして、ＤＳＰ２９は、第１タイマ３６の計時が減光閉状態期間ＴＢに達したと判別すると（Ｓ１１３・ＹＥＳ）、再びＳ１０２からの動作を行う（ｔ２）。
【００７６】
この結果、ホログラムの記録が行われる開状態期間ＴＡ、ホログラムの記録が中断される減光閉状態期間ＴＢが繰り返されることとなる。そのため、例えば図１２・ＴＸ期間に示す基準値Ｖよりローレベルの振動が発生した場合であっても、減光閉状態期間ＴＢがあるため、当該振動による影響が小さいホログラムを記録することが可能となる。詳述すると、例えばホログラムが記録されるまでの期間、常に第１シャッター１４及び第２シャッター１１を開状態とした場合、基準値Ｖよりローレベルの振動による影響を全て受けてしまうこととなる。これに対して、減光閉状態期間ＴＢがあることによって、当該減光閉状態期間ＴＢ分の振動の影響を排除することが可能となる。この結果、適切なホログラムをホログラム媒体２２に記録することが可能となる。
【００７７】
次に、開状態期間ＴＡにおいて、基準値Ｖよりハイレベルの振動が発生した場合における、ホログラム記録装置の動作について説明する（ｔ３ｔ５間）。
【００７８】
ＤＳＰ２９は、│Ｘ│＋│Ｙ│＋│Ｚ│が基準値Ｖよりハイレベルであると判別すると（Ｓ１０７・ＹＥＳ）、第１タイマ３６の計時をストップさせる（Ｓ１１６）。そして、ＤＳＰ２９は、第１シャッター１４を減光状態とすべく、制御電圧(ａ)を当該第１シャッター１４に出力する（Ｓ１１７）。また、ＤＳＰ２９は、第２シャッター１１を閉状態とすべく、制御電圧(ｂ)を当該第２シャッター１１に出力する（Ｓ１１８）。この結果、ホログラムの記録が中断されることとなる（ｔ３）。そして、ＤＳＰ２９は、第２タイマ３７をリセットして、計時をスタートさせる（Ｓ１１９）。ＤＳＰ２９は、第２タイマ３７の計時が、期間ＴＹに達したか否かを判別する（Ｓ１２０）。
【００７９】
尚、この期間ＴＹにおいても、減光データビームがホログラム媒体２２を介してイメージセンサ２７に入射することとなる。そして、ＤＳＰ２９は、演算部３１からの受光面積誤差(Ｘ)、(Ｙ)、(Ｚ)が入力される都度合、絶対値│Ｘ│、│Ｙ│、│Ｚ│を加算する（Ｓ１２１）。そして、ＤＳＰ２９は、加算結果│Ｘ│＋│Ｙ│＋│Ｚ│が基準値Ｖよりハイレベルであるか否かを判別する（Ｓ１２２）。そして、ＤＳＰ２９は、│Ｘ│＋│Ｙ│＋│Ｚ│が基準値Ｖよりハイレベルであると判別すると（Ｓ１２２・ＹＥＳ）、第２タイマ３７をリセットして、再び計時をスタートさせる（Ｓ１１９・ｔ４）。また、ＤＳＰ２９は、│Ｘ│＋│Ｙ│＋│Ｚ│が基準値Ｖ以下であると判別すると（Ｓ１２２・ＮＯ）、引き続き第２タイマ３７の計時が期間ＴＹに達したか否かを判別する（Ｓ１２０）。
【００８０】
そして、ＤＳＰ２９は、第２タイマ３７の計時が期間ＴＹに達したと判別すると（Ｓ１２０・ＹＥＳ）、第１タイマ３６の計時を再スタートさせる（Ｓ１２３）。また、ＤＳＰ２９は、第１シャッター１４及び第２シャッター１１を開状態とする（Ｓ１０３、Ｓ１０４）。この結果、開状態期間ＴＡにおけるホログラムの記録が、再び開始されることとなる（ｔ４）。そして、ＤＳＰ２９は、第１タイマ３６の計時が開状態期間ＴＡ（＝ＴＡ(１)＋ＴＡ(２)）に達したと判別すると（Ｓ１０５・ＹＥＳ）、再びＳ１０８からの動作を行う（ｔ５）。
【００８１】
このように、開状態期間ＴＡにおいて、基準値Ｖよりハイレベルの振動が発生した場合、ホログラムの記録を中断することが可能となる。この結果、振動の影響を受けたホログラムの記録を防止することが可能となる。
【００８２】
次に、減光閉状態期間ＴＢにおいて、基準値Ｖよりハイレベルの振動が発生した場合における、ホログラム記録装置の動作について説明する（ｔ６ｔ８間）。
【００８３】
ＤＳＰ２９は、│Ｘ│＋│Ｙ│＋│Ｚ│が基準値Ｖよりハイレベルであると判別すると（Ｓ１１５・ＹＥＳ）、第１タイマ３６の計時をストップさせる（Ｓ１２４・ｔ６）。そして、ＤＳＰ２９は、第２タイマ３７をリセットして、計時をスタートさせる（Ｓ１２５）。ＤＳＰ２９は、第２タイマ３７の計時が、期間ＴＹに達したか否かを判別する（Ｓ１２６）。
【００８４】
尚、この期間ＴＹにおいても、減光データビームがホログラム媒体２２を介してイメージセンサ２７に入射することとなる。そして、ＤＳＰ２９は、演算部３１からの受光面積誤差(Ｘ)、(Ｙ)、(Ｚ)が入力された都度、絶対値│Ｘ│、│Ｙ│、│Ｚ│を加算する（Ｓ１２７）。そして、ＤＳＰ２９は、加算結果│Ｘ│＋│Ｙ│＋│Ｚ│が基準値Ｖよりハイレベルであるか否かを判別する（Ｓ１２８）。そして、ＤＳＰ２９は、│Ｘ│＋│Ｙ│＋│Ｚ│が基準値Ｖよりハイレベルであると判別すると（Ｓ１２８・ＹＥＳ）、第２タイマ３７をリセットして、再び計時をスタートさせる（Ｓ１２５）。また、ＤＳＰ２９は、│Ｘ│＋│Ｙ│＋│Ｚ│が基準値Ｖ以下であると判別すると（Ｓ１２８・ＮＯ）、引き続き第２タイマ３７の計時が期間ＴＹに達したか否かを判別する（Ｓ１２６）。
【００８５】
そして、ＤＳＰ２９は、第２タイマ３７の計時が期間ＴＹに達したと判別すると（Ｓ１２６・ＹＥＳ）、第１タイマ３６の計時を再スタートさせる（Ｓ１２９・ｔ７）。そして、ＤＳＰ２９は、第１タイマ３６の計時が減光閉状態期間ＴＢ（＝ＴＢ(１)＋ＴＢ(２)）に達したと判別すると（Ｓ１１３・ＹＥＳ）、再びＳ１０２からの動作を行う（ｔ８）。
【００８６】
このように、減光閉状態期間ＴＢにおいて、基準値Ｖよりハイレベルの振動が発生した場合、当該振動が基準値Ｖ以下となるまで、第１シャッター１４及び第２シャッター１１が開状態へ変わることを中断することが可能となる。この結果、振動の影響を受けたホログラムの記録を防止することが可能となる。
【００８７】
そして、ＤＳＰ２９は、カウンタ３３のカウント値が基準カウント値‘６’に達したと判別すると（Ｓ１０９・ＹＥＳ）、第１シャッター１４及び第２シャッター１１を閉状態とすべく、当該第１シャッター１４及び第２シャッター１１に制御電圧(ｂ)を出力する（Ｓ１３０、Ｓ１３１）。そしえｔ、第１シャッター１４及び第２シャッター１１がともに閉状態となることにより、ホログラムの記録が終了することとなる（ｔ９）。また、ＤＳＰ２９は、ＣＰＵ１に記録終了信号を送信する（Ｓ１３２）。この結果、ホログラム媒体２２に対して、振動による影響が小さいホログラムが記録されたこととなる。
【００８８】
上述した実施形態によれば、データビーム及び参照ビームをうち、少なくとも一方を間欠的にホログラム媒体２２に入射することが可能となる。この結果、振動を受け続けた状態で記録されたホログラムに比べ、振動を受けていない状態で記録されたホログラムに近い、適切なホログラムを記録することが可能となる。つまり、より適切な回折効率を有するホログラムを所定の間隔で記録することが可能となる。
【００８９】
更に、第２シャッター１１を間欠的に出射動作するように制御することによって、第１シャッター１４からのデータビームがホログラム媒体２２に対して常に入射されることとなる。そして、減光閉状態期間ＴＢにおいて、ホログラム媒体２２を透過した減光データビームをイメージセンサ２７にて受光することが可能となる。また、開状態期間ＴＡにおいて、参照ビームと干渉した後の透過データビームをイメージセンサ２７にて受光することが可能となる。そして、減光データビーム及び透過データビームのうちの判別用データビームの受光位置に応じた│Ｘ│＋│Ｙ│＋│Ｚ│が、基準値ＶよりハイレベルであるとＤＳＰ２９が判別する期間、参照ビームのホログラム媒体２２に対する入射を遮断することが可能となる。この結果、ホログラム媒体２２に対する不適切なホログラムの記録を防止することが可能となる。
【００９０】
また、減光閉状態期間ＴＢにおいて、他方のレーザービームを減光フィルタ３８にて減光することによって、減光データビームによるホログラム媒体２２中のモノマーの減少を軽減することが可能となる。この結果、より大量のホログラムをホログラム媒体２２に記録することが可能となる。
【００９１】
更に、４分割センサ４５Ａ乃至４５Ｄにおける判別用データビームの受光位置に応じた│Ｘ│＋│Ｙ│＋│Ｚ│が、基準値Ｖよりハイレベルであるか否かを判別することによって、より確実に振動が発生しているか否かを判別することが可能となる。
【００９２】
また、複数（本実施形態においては４つ）の４分割センサ４５Ａ乃至４５Ｄを設けることで、ホログラム媒体２２等のＺ方向への振動を検出することが可能となる。この結果、Ｚ方向における振動の影響が小さいホログラムを記録することが可能となる。
【００９３】
また、集光レンズ４６Ａ乃至４６Ｄにて判別用データビームを集光することにより、４分割センサ４５(Ａ)乃至４５(Ｄ)にて当該ビームをより確実に受光可能となり、確実に振動の発生を検出することが可能となる。
【００９４】
＝＝＝  その他の実施の形態  ＝＝＝
以上、本発明に係るホログラム記録装置によるホログラムからの再生処理について説明したが、上記の説明は、本発明の理解を容易とするためのものであり、本発明を限定するものではない。本発明は、その趣旨を逸脱することなく、変更、改良され得る。
【００９５】
＜＜参照ビームの受光＞＞
上述した実施形態においては、透過データビーム及び減光データビームをイメージセンサ２７にて受光することにより、基準値Ｖよりハイレベルの振動が発生したか否かを判別しているが、これに限るものではない。
【００９６】
例えば、減光閉状態期間ＴＢにおいて、第１シャッター１４を閉状態、第２シャッター１１を減光状態として良い。この場合、減光閉状態期間ＴＢにおいて、ホログラム媒体２２に記録されたホログラムにて参照ビームが回折した後のビーム（以下、再生ビームという）をイメージセンサ２７は受光する。そして、イメージセンサ２７にて受光した再生ビームに基づいて、基準値Ｖよりハイレベルの振動が発生したか否かを判別してもよい。
【００９７】
また、開状態期間ＴＡにおいて、透過データビームと干渉した後の参照ビームを受光するイメージセンサを別途設けても良い。そして、当該イメージセンサにて受光した参照ビームに基づいて、基準値Ｖよりハイレベルの振動が発生したか否かを判別してもよい。
【００９８】
＜＜レーザー装置の出射動作の停止＞＞
上述した実施形態においては、参照ビームとデータビームの基となるレーザービームをレーザー装置１０から出射するように設けているが、これに限るものではない。例えば、参照ビームとデータビームがそれぞれ、異なるレーザー装置から出射されるレーザービームである場合、基準値Ｖよりハイレベルの振動が発生したとＤＳＰ２９（停止制御部）が判別したとき、参照ビームを出射するレーザー装置の出射動作を停止するように設けても良い。或いは、前述したように参照ビームに基づいて、ＤＳＰ２９が振動の有無を判別する場合、データビームを出射するレーザー装置の出射動作を停止するように設けても良い。
【図面の簡単な説明】
【００９９】
【図１】本発明に係るホログラム記録装置の全体構成の一例を示す図である。
【図２】レーザービームのエネルギーに応じてモノマーがポリマーへと変化するときの様子を模式化した図である。
【図３】角度多重記録におけるブックとページを模式的に示した図である。
【図４】ホログラム媒体２２に記録されるホログラムが示す単位ページ配列データ、２次元濃淡画像パターンを示す図である。
【図５】第１シャッター１４の構成を示す図である。
【図６】第１シャッター１４のその他の構成を示す図である。
【図７】イメージセンサ２７の正面図である。
【図８】イメージセンサ２７の断面図である。
【図９】４分割センサ４５(Ａ)乃至４５(Ｄ)が有する４つの受光領域Ａ〜Ｄを示す図である。
【図１０】４分割センサ４５(Ａ)乃至４５(Ｄ)による受光を模式化した図である。
【図１１】ＤＳＰ２９の動作の一例を示すフローチャートである。
【図１２】本発明に係るホログラム記録装置の動作の一例を示すタイミングチャートである。
【符号の説明】
【０１００】
１    ＣＰＵ                        ２    メモリ
３    インタフェース                ４    接続端子
５    バッファ                      ７    エンコーダ
８    マッピング処理部              ９    ＳＬＭ
１０  レーザー装置                  １１  第２シャッター
１２  １／２波長板                  １３  ＰＢＳ
１４  第１シャッター                １５  ＰＢＳ
１６  ガルボミラー                  １７  ガルボミラー制御部
１８  ダイクロックミラー            １９  サーボレーザー装置
２０  スキャナレンズ                ２１  フーリエ変換レンズ
２２  ホログラム媒体                ２３  ディテクタ
２４  ディスク制御部                ２５  ディスク駆動部
２６  フーリエ変換レンズ            ２７  イメージセンサ
２８  イメージセンサ制御部          ２９  ＤＳＰ
３１  演算部                        ３２  ＡＤコンバータ
３３  カウンタ                      ３４  ＤＡコンバータ
３５  ＤＡコンバータ                ３６  第１タイマ
３７  第２タイマ                    ３８  減光フィルタ
３９  遮光フィルタ                  ４０  ソレノイド
４１  支持棒                        ４２  回転軸
４３  ＰＣＢ                        ４４  受光面
４５  ４分割センサ                  ４６  集光レンズ
４７  ガラス
【図１】
2007127697.tif 000003
【図２】
2007127697.tif 000004
【図３】
2007127697.tif 000005
【図４】
2007127697.tif 000006
【図７】
2007127697.tif 000007
【図８】
2007127697.tif 000008
【図９】
2007127697.tif 000009
【図１０】
2007127697.tif 000010
【図１１】
2007127697.tif 000011
【図１２】
2007127697.tif 000012
【図５】
2007127697.tif 000013
【図６】
2007127697.tif 000014